(57)【要約】【課題】迷光の発生を軽減することが可能なレプリカ光学素子を提供する。【解決手段】型板３０の溝面上に溝形状の離型剤膜４３を形成する離型剤膜形成工程と、離型剤膜４３上に溝形状の金属膜４４を形成する金属膜形成工程と、接着用樹脂を介して金属膜４４上面とガラス基板１１下面とを密着させる接着工程と、ガラス基板１１を型板３０から取り外すことで、ガラス基板１１に接着用樹脂層１２及び金属膜４４が接着されたレプリカ光学素子１０’を作製する反射型光学素子作製工程とを含む製造方法で作製されたレプリカ光学素子１０であって、ガラスのｄ線に対する屈折率をｎ１とし、接着用樹脂のｄ線に対する屈折率をｎ２としたときに、垂直反射率Ｒが式（１）を満足する。【選択図】図１
2017167231.tif 000002
【特許請求の範囲】
【請求項１】
型板の溝面上に溝形状の離型剤膜を形成する離型剤膜形成工程と、
前記離型剤膜上に溝形状の金属膜を形成する金属膜形成工程と、
接着用樹脂を介して前記金属膜上面とガラス基板下面とを密着させる接着工程と、
前記ガラス基板を前記型板から取り外すことで、前記ガラス基板に接着用樹脂層及び前記金属膜が接着されたレプリカ光学素子を作製する反射型光学素子作製工程とを含む製造方法で作製されたレプリカ光学素子であって、
前記ガラスのｄ線に対する屈折率をｎ１とし、前記接着用樹脂のｄ線に対する屈折率をｎ２としたときに、垂直反射率Ｒが下記式（１）を満足することを特徴とするレプリカ光学素子。
Ｒ＝（ｎ１−ｎ２）２／（ｎ１＋ｎ２）２≦１．０×１０−５  ・・・  （１）
【請求項２】
前記ガラス基板下面の面粗さＳは、下記式（２）を満足することを特徴とする請求項１に記載のレプリカ光学素子。
Ｓ≦１．０（ｎｍＲｍｓ）  ・・・  （２）
【請求項３】
前記接着用樹脂は、カップリング剤を含有したものであることを特徴とする請求項２に記載のレプリカ光学素子。
【請求項４】
前記接着工程において、前記接着用樹脂を介して前記金属膜上面とガラス基板下面とを密着させる前に、前記ガラス基板下面にカップリング剤が塗布されたものであることを特徴とする請求項２に記載のレプリカ光学素子。
【請求項５】
前記レプリカ反射型光学素子から前記金属膜が除去されることで、溝面を有する前記接着用樹脂層と前記ガラス基板とからなるレプリカ透過型光学素子とすることを特徴とする請求項１〜請求項４のいずれか１項に記載のレプリカ光学素子。
【請求項６】
前記型板は、マスター回折格子又はネガ回折格子であり、
前記レプリカ光学素子は、レプリカ回折格子であることを特徴とする請求項１〜請求項５のいずれか１項に記載のレプリカ光学素子。
【発明の詳細な説明】
【技術分野】
【０００１】
本発明は、分光光度計等の各種光学機器に使用されるレプリカ光学素子に関し、特に、スペクトログラフ中に設置角度が固定されて取り付けられるレプリカ回折格子に関する。
【背景技術】
【０００２】
従来より、回折格子を量産する際に、マスター回折格子からレプリカ回折格子を作製する製造方法（Ｗｈｉｔｅ＆Ｆｒａｓｅｒレプリカ法）が採用されている（例えば、特許文献１参照）。
【０００３】
「Ｗｈｉｔｅ＆Ｆｒａｓｅｒレプリカ法」では、まず、マスター基板（ガラス基板）の上面にアルミニウム等の金属を蒸着してマスター金属薄膜を形成し、そのマスター金属薄膜に格子溝を形成することによりマスター回折格子を作製する。次に、このマスター回折格子を母型として、その格子面（マスター金属薄膜）の上面に薄く油膜（離型剤膜）を形成し、油膜の上面に真空蒸着によりレプリカ金属薄膜を形成して、格子溝形状のレプリカ金属薄膜を形成する。次に、このレプリカ金属薄膜の上面に接着剤を介してレプリカ基板（ガラス基板）を接着し、接着剤が硬化した後にレプリカ基板を母型から外す。これにより、油膜の上面に形成されていたレプリカ金属薄膜がレプリカ基板に移ってレプリカ反射型回折格子が得られる。
【０００４】
さらに、水酸化ナトリウム（苛性ソーダ）等を用いたウエットエッチングを実行してレプリカ金属薄膜を溶解させることで、レプリカ透過型回折格子が得られる。
そして、このようなレプリカ反射型回折格子やレプリカ透過型回折格子は、主として分光器（スペクトログラフ）に利用されている。
【先行技術文献】
【特許文献】
【０００５】
【特許文献１】特開平７−２６１０１０号公報
【発明の概要】
【発明が解決しようとする課題】
【０００６】
ところで、分光器のスペクトルモードで試料を分析する場合には、レプリカ透過型回折格子で波長分離させた単色光を試料に入射してその吸収度合を計測するが、入射光にその単色光以外の波長の光、つまり迷光が混じると、それがノイズとなって分析感度や分析精度を低下させる要因となる。こうした迷光は、取り扱う光の波長が比較的長い場合、具体的には赤外光や可視光の場合はあまり問題とならないが、特に、取り扱う波長を短波長化する場合、例えば軟Ｘ線等の分光を行う際には問題となっていた。
【課題を解決するための手段】
【０００７】
本件発明者らは、上記課題を解決するために、迷光の発生を軽減することが可能なレプリカ光学素子について鋭意検討を行った。
ここで、レプリカ基板のガラス「ＢＫ７（合成石英の一種）」の屈折率ｎ１は１．５１８（ｄ線）であり、接着用樹脂の屈折率ｎ２は１．５６（ｄ線）であり、レプリカ基板と接着用樹脂層との界面で反射して、正規の回折光と同じ方向に反射散乱光が出射して迷光となっている。これらの事実から、ｄ線に対する垂直反射率Ｒが２×１０−４であると、迷光が問題になることがわかった。
【０００８】
また、レプリカ基板と接着剤との付着性を良好にする目的で、接着面積を広げるためにレプリカ基板の接着剤の塗布面が微小凹凸状のスリ面となったものが利用されている。しかしながら、このスリ面が迷光の原因となっている。そこで、面粗さＳが１４μｍＲｍｓであると、迷光が問題になることがわかった。
【０００９】
すなわち、本発明のレプリカ光学素子は、型板の溝面上に溝形状の離型剤膜を形成する離型剤膜形成工程と、前記離型剤膜上に溝形状の金属膜を形成する金属膜形成工程と、接着用樹脂を介して前記金属膜上面とガラス基板下面とを密着させる接着工程と、前記ガラス基板を前記型板から取り外すことで、前記ガラス基板に接着用樹脂層及び前記金属膜が接着されたレプリカ光学素子を作製する反射型光学素子作製工程とを含む製造方法で作製されたレプリカ光学素子であって、前記ガラスのｄ線に対する屈折率をｎ１とし、前記接着用樹脂のｄ線に対する屈折率をｎ２としたときに、垂直反射率Ｒが下記式（１）を満足するようにしている。
Ｒ＝（ｎ１−ｎ２）２／（ｎ１＋ｎ２）２≦１．０×１０−５  ・・・  （１）
【００１０】
なお、本発明では、上下方向を逆転させて逆向きにして用いた場合も含まれるものとする。
【発明の効果】
【００１１】
以上のように、本発明のレプリカ光学素子によれば、垂直反射率Ｒが式（１）を満足することにより、反射光と散乱光とが少なくなり、迷光を低減することができる。また、これにより、分光器に使用すると分析精度や分析感度を向上させることができ、特に軟Ｘ線等の短波長領域における分析精度の大幅な向上に寄与する。
【００１２】
（他の課題を解決するための手段および効果）
また、本発明のレプリカ光学素子において、前記ガラス基板下面の面粗さＳは、下記式（２）を満足するようにしてもよい。
Ｓ≦１．０（ｎｍＲｍｓ）  ・・・  （２）
本発明のレプリカ光学素子によれば、面粗さＳが式（２）を満足することにより、さらに反射光と散乱光とが少なくなり、迷光を低減することができる。
【００１３】
また、本発明のレプリカ光学素子において、前記接着用樹脂は、カップリング剤を含有したものとしてもよい。
本発明のレプリカ光学素子によれば、接着用樹脂には例えば有機成分と無機成分との結合性を向上させるシランカップリング剤を代表とするカップリング剤が混合されているので、レプリカ基板の接着面がスリ面ではなく光沢面であっても高い接着性を確保することができ、金属膜をレプリカ基板にしっかりと貼着することができる。
【００１４】
また、本発明のレプリカ光学において、前記接着工程において、前記接着用樹脂を介して前記金属膜上面とガラス基板下面とを密着させる前に、前記ガラス基板下面にカップリング剤が塗布されたものであるようにしてもよい。
本発明のレプリカ光学素子によれば、光沢面となっているレプリカ基板の接着面にカップリング剤を塗布し、その上に接着用樹脂を塗布又は盛ることにより、カップリング剤の接着性を高めて金属膜をレプリカ基板にしっかりと貼着することができる。
【００１５】
そして、本発明のレプリカ光学素子において、前記レプリカ反射型光学素子から前記金属膜が除去されることで、溝面を有する前記接着用樹脂層と前記ガラス基板とからなるレプリカ透過型光学素子としてもよい。
さらに、本発明のレプリカ光学素子において、前記型板は、マスター回折格子又はネガ回折格子であり、前記レプリカ光学素子は、レプリカ回折格子であるようにしてもよい。
【図面の簡単な説明】
【００１６】
【図１】本発明に係るレプリカ透過型回折格子の一例を示す断面図。
【図２Ａ】本発明に係るレプリカ透過型回折格子の製造方法の説明図。
【図２Ｂ】本発明に係るレプリカ透過型回折格子の製造方法の説明図。
【図２Ｃ】本発明に係るレプリカ透過型回折格子の製造方法の説明図。
【図２Ｄ】本発明に係るレプリカ透過型回折格子の製造方法の説明図。
【図３】マスター回折格子の一例を示す断面図。
【図４】回折光の波長と光強度との関係を示すグラフ。
【図５】絶対回折効率を示すグラフ。
【発明を実施するための形態】
【００１７】
以下、本発明の実施形態について図面を用いて説明する。なお、本発明は、以下に説明するような実施形態に限定されるものではなく、本発明の趣旨を逸脱しない範囲で種々の態様が含まれる。
【００１８】
図１は、本発明に係るレプリカ透過型回折格子の一例を示す断面図である。
レプリカ透過型回折格子１０は、レプリカ基板１１と、接着用樹脂層１２とを備える。
【００１９】
レプリカ基板１１は、上下の面と前後左右の側面とからなる６面を有し、例えば、厚さ１１ｍｍ、前後６０ｍｍ、左右６０ｍｍの平板形状である。
上記レプリカ基板の上面の面粗さＳは、１．０（ｎｍＲｍｓ）以下であることが好ましく、０．５（ｎｍＲｍｓ）以下であることがより好ましい。また、上記レプリカ基板の下面には、所定の厚さ（例えば７０ｎｍ）のＭｇＦ２等のＡＲコート（中心波長４００ｎｍ）が施されていることが好ましい。
【００２０】
接着用樹脂層１２は、レプリカ基板１１の上面に形成され、接着用樹脂層１２の上面（格子面）には格子溝（例えば溝本数２００本／ｍｍ、ブレーズ角８．６°の鋸歯形状）が形成されている。
【００２１】
上記レプリカ基板の材質としては、例えば、石英ガラス、ゼロデュア（ＺＥＲＯＤＵＲ（登録商標）：ＳＣＨＯＴＴ社製）等の低膨張性結晶ガラス、ＢＫ７、パイレックス（ＰＹＲＥＸ（登録商標））ガラス、ソーダガラス等が挙げられる。
また、上記接着用樹脂層の材質としては、例えば、尿素樹脂、メラミン樹脂、フェノール樹脂、エポキシ樹脂等の熱硬化樹脂や紫外線硬化樹脂等が挙げられる。
なお、本発明では、レプリカ基板１１の材質のｄ線に対する屈折率をｎ１とし、接着用樹脂１２のｄ線に対する屈折率をｎ２としたときに、垂直反射率Ｒが式（１）を満足することになる。
Ｒ＝（ｎ１−ｎ２）２／（ｎ１＋ｎ２）２≦１．０×１０−５  ・・・  （１）
つまり、垂直反射率Ｒが１．０×１０−５以下であり、４×１０−７以下であることが特に好ましい。
【００２２】
ここで、本発明に係るレプリカ透過型回折格子１０の製造方法の一例について図２を用いて説明する。その製造方法は、マスター回折格子準備工程（Ａ−１）と、離型剤膜形成工程（Ｂ−１）と、ネガ金属膜形成工程（Ｂ−２）と、接着工程（Ｂ−３）と、ネガ回折格子作製工程（Ｂ−４）と、離型剤膜形成工程（Ｃ−１）と、レプリカ金属膜形成工程（Ｃ−２）と、接着工程（Ｃ−３）と、反射型回折格子作製工程（Ｃ−４）と、透過型回折格子作製工程（Ｃ−５）とを含む。
【００２３】
（Ａ−１）マスター回折格子準備工程
まず、マスター回折格子２０を準備する。図３は、マスター回折格子の一例を示す断面図である。マスター回折格子２０は、マスター基板２１と、マスター金属薄膜２２とを備える。
マスター基板２１は、上面（格子面）と下面及び前後左右の側面とからなる６面を有し、マスター基板２１の上面には格子溝（例えば溝本数２００本／ｍｍ、ブレーズ角８．６°の鋸歯形状）が形成されている。
また、上記マスター基板の材質としては、例えば、上記レプリカ基板と同様の、石英ガラス、ゼロデュア等の低膨張性結晶ガラス、ＢＫ７、パイレックスガラス、ソーダガラス等が挙げられる。
【００２４】
マスター金属薄膜２２は、マスター基板２１の上面（格子面）に所定の厚さとなるように形成されたものである。すなわち、マスター金属薄膜２２は格子溝形状となっている。
上記マスター金属薄膜の所定の厚さは、０．１μｍ以上２μｍ以下であることが好ましく、上記マスター金属薄膜の材質としては、例えば、アルミニウム、金、白金、クロム、ニクロム、ニッケル等が挙げられる。
【００２５】
このようなマスター回折格子２０の製造方法の一例を述べると、まず、６０ｍｍ×６０ｍｍ×１１ｍｍの大きさのガラス基板（フロートガラス）２１に、フォトレジスト（感光レジスト膜）としてＯＦＰＲ（登録商標）５０００（東京応化工業株式会社製）を０．４μｍ厚さでコーティングし、このフォトレジストにホログラフィック露光法（レーザ波長：４４１．６ｎｍ）により格子溝（密度：２００本／ｍｍ）のレジストパターンを露光して、現像液に適切な時間浸漬させた後に、レジストパターンを形成する。次に、そのレジストパターンをマスクとして異方性イオンビームエッチングにより、溝断面形状がブレーズ角８．６°の鋸歯形状の格子溝を形成する。次に、その格子溝上に膜厚０．２μｍのマスター金属薄膜２２を真空蒸着により形成する。このようにして、マスター回折格子２０が完成する。なお、刻線は、回折格子彫刻装置による機械刻線でも、イオンビームエッチングによる刻線でもよい。
【００２６】
（Ｂ−１）離型剤膜形成工程（図２（ａ）参照）
マスター回折格子２０の格子面上に、所定の厚さとなるように油膜（離型剤膜）４１を形成する。
上記油膜の形成方法としては、真空蒸着法等が挙げられ、真空蒸着法を用いる際には、蒸着源に対して一定距離を保ち、格子面に対して均一に成膜が形成されるように、例えば公転回転又は遊星回転（公転回転＋自転回転）させておくことが好ましい。また、上記油膜の所定の厚さは、４ｎｍ以上１０ｎｍ以下であることが好ましく、上記油膜の材質としては、例えば、シリコーンオイル等が挙げられる。
【００２７】
（Ｂ−２）ネガ金属膜形成工程（図２（ｂ）参照）
油膜４１上に、所定の厚さとなるようにネガ金属薄膜４２を形成する。すなわち、ネガ金属薄膜４２は格子溝形状となる。
上記ネガ金属薄膜の形成方法としては、上記した真空蒸着法等が挙げられる。また、上記ネガ金属薄膜の所定の厚さは、０．１μｍ以上２μｍ以下であることが好ましく、上記ネガ金属薄膜の材質としては、例えば、アルミニウム、金、白金、クロム、ニクロム、ニッケル等が挙げられる。
【００２８】
（Ｂ−３）接着工程
平板形状の青板３１を用意し、青板３１の下面に接着用樹脂を塗布して接着用樹脂層３２’を形成する（図２（ｃ）参照）。次に、接着用樹脂層３２’を介してネガ金属薄膜４２に青板３１を適度な圧力で押し付ける（図２（ｄ）参照）。このとき、接着用樹脂層３２’がネガ金属薄膜４２の断面鋸歯形状の格子溝を埋めるように広がることにより、下面に格子溝形状を有した接着用樹脂層３２となる。次に、ベーク炉に収容し、６０℃、約２４時間の条件で熱を加えたり、接着用樹脂層３２に紫外線を照射したりすることで硬化させる。
上記青板の下面の面粗さＳは、スリ面であることが好ましく、また、上記接着用樹脂層の材質としては、例えば、尿素樹脂、メラミン樹脂、フェノール樹脂、エポキシ樹脂等の熱硬化樹脂や紫外線硬化樹脂等が挙げられる。
【００２９】
（Ｂ−４）ネガ回折格子作製工程（図２（ｅ）参照）
青板３１をマスター回折格子２０から上方側に取り外すと、油膜（離型剤膜）４１を境にして、ネガ金属薄膜４２と接着用樹脂層３２とが青板３１とともに取り外される。なお、ネガ金属薄膜４２の下面に残った油膜４１はフッ素系溶剤（ＡＫ−２５５：旭硝子株式会社製）等で洗浄して除去する。
その結果、青板３１に接着用樹脂層３２とネガ金属薄膜４２とが接着されたネガ回折格子３０が作製される。
【００３０】
（Ｃ−１）離型剤膜形成工程（図２（ｆ）参照）
ネガ回折格子３０の格子面上に、所定の厚さとなるように油膜（離型剤膜）４３を形成する。
上記油膜の形成方法としては、先に述べた真空蒸着法等が挙げられる。また、上記油膜の所定の厚さは、４ｎｍ以上１０ｎｍ以下であることが好ましく、上記油膜の材質としては、例えば、シリコーンオイル等が挙げられる。
【００３１】
（Ｃ−２）レプリカ金属膜形成工程（図２（ｇ）参照）
油膜４３上に、所定の厚さとなるようにレプリカ金属薄膜４４を形成する。すなわち、レプリカ金属薄膜４４は格子溝形状となる。
上記レプリカ金属薄膜の形成方法としては、先に述べた真空蒸着法等が挙げられる。また、上記レプリカ金属薄膜の所定の厚さは、０．１μｍ以上２μｍ以下であることが好ましく、上記レプリカ金属薄膜の材質としては、例えば、アルミニウム、金、白金、クロム、ニクロム、ニッケル等が挙げられる。
【００３２】
（Ｃ−３）接着工程
レプリカ基板１１を用意し、レプリカ基板１１の上面を所定の面粗さＳに研磨し、フッ素系溶剤等で洗浄した後に、レプリカ基板１１の上面に接着用樹脂を塗布して接着用樹脂層１２’を形成する（図２（ｈ）参照）。
上記レプリカ基板の上面の研磨方法としては、両面ラップ研磨加工等が挙げられる。
【００３３】
このとき、レプリカ基板１１の上面に接着用樹脂を塗布する前に、接着用樹脂にカップリング剤を含有させたり、カップリング剤をレプリカ基板１１の上面に塗布したりすることが好ましい。
上記カップリング剤は、有機質材料と無機質材料とのバインダとして作用するものであり、例えばシランカップリング剤等が挙げられ、このシランカップリング剤の具体例としては、３−グリシドキシプロピルトリメトキシシラン（「ＫＢＭ−４０３」、信越化学工業株式会社製）等が有用である。
【００３４】
そして、接着用樹脂層１２’を介してレプリカ金属薄膜４４にレプリカ基板１１を適度な圧力で押し付ける（図２（ｉ）参照）。このとき、接着用樹脂層１２’がレプリカ金属薄膜４４の断面鋸歯形状の格子溝を埋めるように広がることにより、上面に格子溝形状を有した接着用樹脂層１２となる。次に、ベーク炉に収容し、６０℃、約２４時間の条件で熱を加えたり、接着用樹脂層１２に紫外線を照射したりすることで硬化させる。
【００３５】
（Ｃ−４）反射型回折格子作製工程（図２（ｊ）参照）
レプリカ基板１１をネガ回折格子３０から下方側に取り外すと、油膜（離型剤膜）４４を境にして、レプリカ金属薄膜４４と接着用樹脂層１２とがレプリカ基板１１とともに取り外される。なお、レプリカ金属薄膜４４の上面に残った油膜４３はフッ素系溶剤等で洗浄して除去する。
その結果、レプリカ基板１１に接着用樹脂層１２とレプリカ金属薄膜４４とが接着されたレプリカ反射型回折格子１０’が作製される。
【００３６】
（Ｃ−５）透過型回折格子作製工程
レプリカ反射型回折格子１０’を水酸化ナトリウム（苛性ソーダ）溶液に浸漬して、レプリカ金属薄膜４４を溶解させた後に苛性ソーダ溶液から取り出して純水で洗浄し、スピンナ等を用いて乾燥させる。これにより、レプリカ基板１１と格子面を有する接着用樹脂層１２とからなるレプリカ透過型回折格子１０（図１参照）を作製することができる。
【００３７】
以上のように、本発明に係るレプリカ透過型回折格子１０によれば、垂直反射率Ｒが式（１）を満足することにより反射光と散乱光とが少なくなり、迷光を低減することができる。
【００３８】
＜他の実施形態＞
なお、本発明は、例えば非球面光学レプリカ素子や球面光学レプリカ素子や平面光学レプリカ素子等にも適用することができる。
【実施例】
【００３９】
以下、実施例によって本発明をさらに具体的に説明するが、本発明はこれらによりなんら制限されるものではない。
【００４０】
＜実施例１＞
上述したような製造方法で、面粗さＳが１ｎｍＲｍｓ、材質の屈折率ｎ１が１．５６２（ｄ線）となる厚さ１１ｍｍ、前後６０ｍｍ、左右６０ｍｍの平板形状のレプリカ基板「Ｎ−ＳＫ１１（ＳＣＨＯＴＴ社製）」を用いるとともに、接着用樹脂の屈折率ｎ２が１．５６（ｄ線）となる接着用樹脂を用いて、溝本数２００本／ｍｍ、ブレーズ角８．６°の鋸歯形状の格子面を有する実施例１に係るレプリカ透過型回折格子を作製した。なお、垂直反射率Ｒは４×１０−７となっている。
【００４１】
＜実施例２＞
面粗さＳが１ｎｍＲｍｓのレプリカ基板の代わりに、面粗さＳが１４μｍＲｍｓとなるレプリカ基板を用いたこと以外は実施例１と同様にして、実施例２に係るレプリカ透過型回折格子を作製した。なお、垂直反射率Ｒは４×１０−７となっている。
【００４２】
＜比較例１＞
面粗さＳが１ｎｍＲｍｓ、材質の屈折率ｎ１が１．５６２（ｄ線）となるレプリカ基板の代わりに、面粗さＳが１４μｍＲｍｓ、材質の屈折率ｎ１が１．５１８（ｄ線）となるレプリカ基板「ＢＫ７」を用いたこと以外は実施例１と同様にして、比較例１に係るレプリカ透過型回折格子を作製した。なお、垂直反射率Ｒは２×１０−４となっている。
【００４３】
＜評価１＞回折光の強度
実施例１、２及び比較例１に係るレプリカ透過型回折格子の下面に光を照射し、上面から出射された回折光を検出した。図４は、回折光の波長と光強度との関係を示すグラフである。
図４に示すように、比較例１に係るレプリカ透過型回折格子による回折光は、迷光が多くブロードとなっているが、実施例１、２に係るレプリカ透過型回折格子による回折光は、迷光がほとんどなくシャープな形状を示している。すなわち、実施例１、２に係るレプリカ透過型回折格子は、比較例１に係るレプリカ透過型回折格子と比べて１／１０程度に迷光が抑えられた。
【００４４】
＜評価２＞絶対回折効率（入射光強度に対する次数１の回折光強度比）
実施例１、２及び比較例１に係るレプリカ透過型回折格子の下面に光を照射し、上面から出射された回折光を検出した。図５は、絶対回折効率を示すグラフである。
図５に示すように、比較例１に係るレプリカ透過型回折格子、実施例２に係るレプリカ透過型回折格子、実施例１に係るレプリカ透過型回折格子の順に、絶対回折効率が大きくなった。すなわち、実施例１、２に係るレプリカ透過型回折格子は、比較例１に係るレプリカ透過型回折格子と比べて絶対回折効率が１０％程度向上した。
【産業上の利用可能性】
【００４５】
本発明は、分光光度計等の各種光学機器に使用されるレプリカ光学素子等に好適に利用できる。
【符号の説明】
【００４６】
１０  レプリカ透過型回折格子
１０’  レプリカ反射型回折格子
１１  レプリカ基板（ガラス基板）
１２  接着用樹脂層
２０  マスター回折格子
３０  ネガ回折格子（型板）
４１  油膜（離型剤膜）
４３  油膜（離型剤膜）
４４  レプリカ金属薄膜（金属膜）
【図１】
2017167231.tif 000003
【図２Ａ】
2017167231.tif 000004
【図２Ｂ】
2017167231.tif 000005
【図２Ｃ】
2017167231.tif 000006
【図２Ｄ】
2017167231.tif 000007
【図３】
2017167231.tif 000008
【図４】
2017167231.tif 000009
【図５】
2017167231.tif 000010